(57)【要約】【課題】埋設物の位置を容易に特定でき、埋設物の種類および情報を読み取ることができる埋設物位置探査装置を提供する。【解決手段】埋設物位置探査装置１００は、略楕円形状のＲＦＩＤアンテナ部３と、棒状のコントロールアーム部４と、情報端末部２０とを備えている。ＲＦＩＤアンテナ部３は、コントロールアーム部４の先端部に設けられている。情報端末部２０は、コントロールアーム部４の途中部分に設けられている。ＲＦＩＤアンテナ部３は、長径が幅方向と略一致している楕円状のコイル部を有している。【選択図】図１
0003211547.tif 000002
【実用新案登録請求の範囲】
【請求項１】
建築物内に埋設された１以上の埋設物を探知する埋設物位置探査装置であって、
前記埋設物のそれぞれには所定の個別情報を有したタグが取り付けられており、
前記タグを検出するとともに前記所定の個別情報を読み取るアンテナ部と、前記アンテナ部によって読み取られた前記所定の個別情報を前記アンテナ部から受信し報知する報知部を有した情報端末部と、を備え、
前記アンテナ部は、長径が幅方向と略一致している楕円状のコイル部を有したものであることを特徴とする埋設物位置探査装置。
【考案の詳細な説明】
【技術分野】
【０００１】
本考案は、建築物の天井、壁、床等、または、道路等に埋設される埋設物の位置を仕上げ材の上から検出可能にする埋設物位置探査装置に関するものである。
【背景技術】
【０００２】
近年、オフィスにおけるＯＡ機器の利用が急速に高まり、建築物の天井、壁、床等には多数のＯＡ機器に対する多種多様な埋設物（例えば、配線およびハーネス用ジョイントボックス等の配線器具）が埋設されている。そして、レイアウト変更等に伴い、配線および配線器具の変更、移設、増設をする場合、配線および配線器具の埋設位置を確認する手段として探査装置が用いられることが知られている。
【０００３】
例えば特許文献１には、各種ケーブル配線接続器具に付設した常時一定の電波を出す発信器と、その発信器が出す電波に応動する表示機能を備えた携帯型受信器とから構成された探査装置が開示されている。この探査装置では、仕上げ材の上から携帯用受信器のアンテナ先端部分をフロアパネルに接近させた状態で適宜移動させることにより目的とする配線および配線器具の埋設位置を探査し、携帯型受信器が目的とする配線および配線器具に近づくと、その周波数に基づいた表示および音により報知され、埋設位置を確認することができるようになっている。
【先行技術文献】
【特許文献】
【０００４】
【特許文献１】実開平６−２５９９１号公報
【考案の概要】
【考案が解決しようとする課題】
【０００５】
しかしながら、上記従来の探査装置では、比較的広い範囲を探査する際に携帯型受信器の電波検知性能が不十分であり、およその位置は把握できても、正確にどの位置にあるかまで探知することは難しかった。また、既設の配線によって影響を受け誤動作を起こす場合があるという探査精度上の問題がある。
【０００６】
そこで、本考案は、このような事情に鑑みてなされたものであり、建築物の天井、壁、床等に埋設される埋設物の位置を容易に特定でき、埋設物の種類および情報を読み取ることができる埋設物位置探査装置を提供することを目的とする。
【課題を解決するための手段】
【０００７】
本考案の埋設物位置探査装置は、建築物内に埋設された１以上の埋設物を探知する埋設物位置探査装置であって、前記埋設物のそれぞれには所定の個別情報を有したタグが取り付けられており、前記タグを検出するとともに前記所定の個別情報を読み取るアンテナ部と、前記アンテナ部によって読み取られた前記所定の個別情報を前記アンテナ部から受信し報知する報知部を有した情報端末部と、を備え、前記アンテナ部は、長径が幅方向と略一致している楕円状のコイル部を有したものであることを特徴とする。
【考案の効果】
【０００８】
本考案によれば、たとえば、建築物のＯＡフロア内において床上からタグ（たとえばＲＦＩＤタグ）を検出することによって、このタグが取り付けられた埋設物の位置を正確に検出し、探知することができる。この埋設物の位置を探知した後、情報端末部の報知部（たとえば、画像表示部による情報の表示、または、スピーカによる音の発生など）により埋設物の位置を正確に報知することができる。また、複数種類の配線、配線器具を探査する場合には、それぞれに対応した埋設物の情報を記録したタグを用いれば、種類毎、用途毎等に分けて探査することも可能である。また、長径が幅方向と略一致している楕円状のコイル部を有したアンテナ部を備える構成であるため、比較的コンパクトでありながら、タグの位置から少しずれていたとしても円状のコイル部を有したものに比べて広範囲でタグ（すなわち埋設物）の位置を容易に探知することができる。
【図面の簡単な説明】
【０００９】
【図１】本考案の実施の形態における埋設物位置探査装置を示す斜視図である。
【図２】（ａ）はハーネス用ジョイントボックスおよびＲＦＩＤタグを示す平面図、（ｂ）はＲＦＩＤアンテナ部を示す平面図である。
【図３】埋設物位置探査装置およびＲＦＩＤタグの構成を示すブロック図である。
【図４】表示部を備えた情報端末部を示す正面図である。
【考案を実施するための形態】
【００１０】
以下、本考案の実施の形態について、図１〜図４に基づいて説明する。図１は、本実施形態における埋設物位置探査装置１００を用いて、建築物のコンクリート製のＯＡフロア内に埋設されたハーネス用ジョイントボックス１の位置をカーペット等の仕上げ材２およびＯＡフロアパネル１２の上から探査している状態を示している。このハーネス用ジョイントボックス１の上部には、図２（ａ）に示すように、円形状のＲＦＩＤタグ９が取り付けられている。
【００１１】
ＲＦＩＤ（Ｒａｄｉｏ  Ｆｒｅｑｕｅｎｃｙ  Ｉｄｅｎｔｉｆｉｃａｔｉｏｎ、無線による識別）タグ９は、後述する記憶部１０ａと制御部１０ｂとを備えるＩＣチップ１０と、このＩＣチップ１０内の記憶部１０ａに記憶された情報（対応する埋設物の個別データ）を送受信可能なアンテナ部９ａとを備えており、埋設物位置探査装置１００との間で所定の周波数（例えば、１２５ｋＨｚ帯）の無線電波を送受信するようになっている。
【００１２】
＜埋設物位置探査装置１００の装置構成＞
図１に示すように、埋設物位置探査装置１００は、略楕円形状のＲＦＩＤアンテナ部３と、棒状のコントロールアーム部４と、情報端末部２０とを備えている。ＲＦＩＤアンテナ部３は、コントロールアーム部４の先端部に設けられている。情報端末部２０は、コントロールアーム部４の途中部分に設けられている。
【００１３】
ＲＦＩＤアンテナ部３は、ＲＦＩＤタグ９を検出するとともに情報（対応する埋設物の個別データ（後述する埋設物情報２２ａ））を読み取るためのものであり、図２（ｂ）に示すように、導線（図示せず）をループ状にした長径が幅方向と略一致している楕円状のコイル部５を有している。また、ＲＦＩＤアンテナ部３と情報端末部２０とは、ケーブル６を介して接続されている。このケーブル６は、電源コードと、各種データを送受信可能な通信コードとを含むものである。なお、電源は単３乾電池を使用することができる。
【００１４】
コントロールアーム部４には、ＲＦＩＤアンテナ部３を片手で確実かつ楽に操作するために、グリップ部７およびアームレスト部８が設けられている。なお、コントロールアーム部４は、スクリュー式またはラチェット式などの調節構造で長さ調整が可能に構成されている。
【００１５】
図３に示すように、情報端末部２０は、制御部２１、記憶部２２、通信部２３、操作部２４、表示部２５、および発音部２６を備えている。また、情報端末部２０は、図示しないが、ＳＤカード等の記録メディアから各種情報を読み込み可能な情報読取部を有している。
【００１６】
制御部２１は、所定の手順で演算を行うＣＰＵと、各種データテーブル等を格納するＲＯＭと、必要なデータの読み出しを行うＲＡＭとを有している。この制御部２１では、通信部２３または操作部２４を介して送受信した各種データに応じた各種の制御を行えるようになっており、例えば、通信部２３に受信された情報を記憶部２２に記憶させる制御、通信部２３に受信された情報を表示部２５に表示させる制御、操作部２４の操作に基づき記憶部２２、通信部２３、表示部２５、および発音部２６の制御を行えるようになっている。
【００１７】
記憶部２２は、ＲＦＩＤタグ９から読み取られた埋設物情報２２ａと、制御部２１の各種プログラム２２ｂとを記憶するようになっている。通信部２３は、ケーブル６を介して後述するＲＦＩＤアンテナ部３の通信部３ｃに接続されている。操作部２４は、電源のＯＮ／ＯＦＦを切り替えるためのスイッチ、探知感度の調節を行うスイッチ等が設けられ、作業者からの各種入力を受付可能になっている。表示部２５は、記憶部２２に記憶される埋設物情報２２ａ、通信部２３に受信された情報、または操作部２４を介して入力されたデータ等の情報の表示を液晶表示によって行うようになっている。なお、表示部２５の液晶表示はバックライト付きである。発音部２６には、スピーカが設けられ、ＲＦＩＤタグ９をＲＦＩＤアンテナ部３が検出すると、報知音を発して外部に報知を行うようになっている。なお、発音部２６には周囲の音に左右されないようにイヤホンを取り付け、このイヤホンに音声信号を送信して報知音を発することが可能である。なお、主に、表示部２５と発音部２６とで、操作者に各種情報を報知する報知部を構成している。
【００１８】
ＲＦＩＤアンテナ部３は、情報端末部２０の通信部２３と通信するための通信部３ｃと、ＲＦＩＤタグ９と無線通信するためのアンテナ部３ａと、通信部３ｃおよびアンテナ部３ａを制御する制御部３ｂと、を備えている。制御部３ｂは、所定の手順で演算を行うＣＰＵと、各種データテーブル等を格納するＲＯＭと、必要なデータの読み出しを行うＲＡＭとを有している。
【００１９】
＜ＲＦＩＤタグ９の構成＞
ＲＦＩＤタグ９は、埋設物のデータを記録するＩＣチップ１０内の記憶部１０ａと、ＲＦＩＤアンテナ部３のアンテナ部３ａと無線通信するためのアンテナ部９ａと、これらを制御するＩＣチップ１０内の制御部１０ｂとを備えている。なお、ＲＦＩＤタグ９は、ＩＣチップ１０内の記憶部１０ａに、あらかじめ１６進１０桁のＩＤ番号が記録されている場合、そのＩＤ番号に対応付けた新たなシリアル番号のラベルが貼り付けられたものであってもよい。
【００２０】
また、ＲＦＩＤタグ９は、金属対応ＲＦＩＤタグであってもよい。この金属対応ＲＦＩＤタグは、近傍に金属体等（導電体）がある場合でも、ＲＦＩＤアンテナ部３から発せられる電波が金属体等（導電体）によって影響を受けることなく、ＲＦＩＤタグ９に記憶される情報をＲＦＩＤアンテナ部３に正確に読み取らせることが可能である。
【００２１】
また、ＲＦＩＤタグ９のハーネス用ジョイントボックス１への取り付け方法については、特に限定されるものではなく、両面テープ等が用いられるが、図２（ａ）に示す取付台１１を用いて取り付けてもよい。この取付台１１は、ＲＦＩＤタグ９を挟み込んで保持した状態でハーネス用ジョイントボックス１の固定ネジ用の穴に差し込むことができるものである。
【００２２】
＜探査作業の説明＞
次に、本実施形態における埋設物位置探査装置１００を用いたハーネス用ジョイントボックス１の探査作業について説明する。まず、コンクリート製のＯＡフロア内にハーネス用ジョイントボックス１を埋設する際、上記取付台１１を用いてＲＦＩＤタグ９をハーネス用ジョイントボックス１に取り付ける。そして、ＯＡフロアパネル１２および仕上げ材２を敷設する。
【００２３】
このように埋設されたハーネス用ジョイントボックス１の位置を探知するには、図１に示すように、埋設物位置探査装置１００のＲＦＩＤアンテナ部３を仕上げ材２の上面に沿わせながらコントロールアーム部４を操作して適宜移動する。このＲＦＩＤアンテナ部３がハーネス用ジョイントボックス１に近づくと、ＲＦＩＤタグ９が検出され、ＲＦＩＤアンテナ部３の制御部３ｂから検出信号が通信部３ｃ、２３を介して情報端末部２０の制御部２１に送信される。この検出信号を受信した制御部２１は、情報端末部２０の発音部２６に発音命令信号を送信し、この発音命令信号を受信した発音部２６は音を発する。
【００２４】
さらにＲＦＩＤアンテナ部３がハーネス用ジョイントボックス１に近づけば近づくほど、制御部２１は発音部２６に音を大きくすることを命令する信号を送信し、該信号を受信した発音部２６は、より大きな音を発する。
【００２５】
また、ＲＦＩＤタグ９が検出された場合、図３に示すように、ＲＦＩＤアンテナ部３によってＲＦＩＤタグ９の記憶部１０ａに記憶される埋設物の固有データ（埋設物情報２２ａ）が読み取られ、通信ケーブル６を介して情報端末部２０に埋設物の固有データ（埋設物情報２２ａ）が受信されるようになっている。そして、この埋設物情報２２ａを情報端末部２０の制御部２１内のＲＡＭに一時的に読み込み、図４に示すように、埋設物情報２２ａを表示部２５に表示させる。このとき、埋設物情報２２ａは、記憶部２２に記憶される。
【００２６】
したがって、ＲＦＩＤアンテナ部３がハーネス用ジョイントボックス１に接近した場合には、ＲＦＩＤタグ９の検出に基づいて、発音部２６から発せられた音および表示部２５に表示された埋設物情報２２ａにより、ハーネス用ジョイントボックス１の位置を探知でき、正確に確認することができる。また、埋設物位置探査装置１００は、長径が幅方向と略一致している楕円状のコイル部５を有したＲＦＩＤアンテナ部３を備える構成であるため、比較的コンパクトでありながら、従来よりも探知範囲を拡大することができ、円状のコイル部を有したものに比べて広範囲でハーネス用ジョイントボックス１の位置を容易に探知することができる。これにより、ＲＦＩＤアンテナ部３の位置がＲＦＩＤタグ９の位置から少しずれていたとしても、ＲＦＩＤタグ９の位置を容易に探知することができる。また、複数種類の配線、配線器具を探査する場合には、それぞれに対応した埋設物の情報を記録したＲＦＩＤタグ９を用いれば、種類毎、用途毎等に分けて探査することも可能である。
【００２７】
以上、本考案の実施の形態を説明したが、具体例を例示したに過ぎず、特に本考案を限定するものではなく、具体的構成などは、適宜設計変更可能である。また、考案の実施の形態に記載された、作用および効果は、本考案から生じる最も好適な作用および効果を列挙したに過ぎず、本考案による作用および効果は、本考案の実施の形態に記載されたものに限定されるものではない。例えば、上記実施形態では、コンクリート製のＯＡフロア内においての探査作業について説明を行なったが、埋設物位置探査装置１００は、プラスチック製等の他の材料を用いて構成されているＯＡフロア内においての探査作業についても適用可能である。また、ＯＡフロア内以外の家屋、または、道路等あらゆる場所で適用可能である。
【００２８】
また、ＲＦＩＤタグ９において、上述したＩＣチップ１０内の記憶部１０ａにあらかじめ１６進１０桁のＩＤ番号が記録され、そのＩＤ番号に対応付けた新たなシリアル番号のラベルがＲＦＩＤタグ９の上面に貼り付けられたものを用いる場合、ＩＤ番号とシリアル番号の対比データを作成しＳＤカードに保存しておけば、このＳＤカードを情報端末部２０に挿入し対比データを読み込むことができる。ここで、例えば、ＩＤ番号はＩＤ：４０００９Ａ２９１０、シリアル番号はＳＮ：２５００１である。なお、シリアル番号の２５００１は２５階の００１番を示したものである。
【００２９】
そして、探査する際、埋設物位置探査装置１００のＲＦＩＤアンテナ部３がＲＦＩＤタグ９を検出した場合には、表示部２５にＩＤ番号とシリアル番号とが表示されることになる。ここで、検出された位置の仕上げ材２およびＯＡフロアパネル１２を外して、ＲＦＩＤタグ９のシリアル番号を目視、確認することで、多数の仕上げ材２およびＯＡフロアパネル１２を外すことなく、近傍に位置する別のＲＦＩＤタグ９の存在を認知することができる。したがって、比較的広いＯＡフロアであっても効率良く、目的の埋設物の探査作業を行うことができるようになる。
【図１】
0003211547.tif 000003
【図２】
0003211547.tif 000004
【図３】
0003211547.tif 000005
【図４】
0003211547.tif 000006